(57)【要約】      （修正有）【課題】取り付け状態などのバリエーションが豊富で、ファッション性、機能性に富んだ使用状態とすることができるぬいぐるみマスコットを提供する。【解決手段】一方の前足３ａの先端部にスナップボタンの雌部材５ａが取り付けられ、他方の前足３ｂの先端部に雌部材５ａに着脱自在な雄部材５ｂが取り付けられ、雌部材５ａが取り付けられた側の後足４ａの先端部に雄部材５ｂが取り付けられ、他方の後足４ｂの先端部に前足３ｂの雄部材５ｂおよび後足４ａの雄部材５ｂに着脱自在な雌部材５ａが取り付けられている。【選択図】図１
0003209620.tif 000002
【実用新案登録請求の範囲】
【請求項１】
胴体と、胴体から突出する四肢を有するぬいぐるみマスコットであって、
前記四肢は、一方の前足の先端部に第１係着部材が取り付けられ、他方の前足の先端部に第１係着部材に着脱自在な第２係着部材が取り付けられ、前記第１係着部材が取り付けられた側の後足の先端部に、前記前足の第１係着部材に着脱自在に前記第２係着部材が取り付けられ、他方の後足の先端部に前記前足の第２係着部材および前記後足の第２係着部材に着脱自在な前記第１係着部材が取り付けられていることを特徴とするぬいぐるみマスコット。
【請求項２】
胴体に連設された頭を有し、左右の前足の第１係着部材と第２係着部材が係着された状態で、左右の前足と胴体とによって形成されるサークル部の中心軸方向から見て、頭がサークルの内部に少なくとも一部が重なるように、両前足および頭が胴体に連設されている請求項１に記載のぬいぐるみマスコット。
【請求項３】
左右の後足の第１係着部材と第２係着部材が係着された状態で、両後足と、胴体によって形成されるサークル部を水平面に受けさせたとき、胴部が水平面に対し、立った状態を保持するように、胴体に左右の後足が連設されている請求項１または請求項２に記載のぬいぐるみマスコット。
【請求項４】
第１係着部材が嵌合凹部を有し、第２係着部材が前記嵌合凹部に嵌合する嵌合凸部を備えている請求項１〜請求項３のいずれかに記載のぬいぐるみマスコット。
【請求項５】
左右の前足の第１係着部材と第２係着部材が係着された状態で、左右の前足と胴体とによって形成される第１サークル部と、左右の後足の第１係着部材と第２係着部材が係着された状態で、左右の前足と胴体とによって形成される第２サークル部とが立体的にほぼ重なるとともに、左側の前足と左側の後足の第１係着部材と第２係着部材が係着された状態で、左側の前足と左側の後足と胴体とによって形成される第３サークル部と、左側の前足と左側の後足の第１係着部材と第２係着部材が係着された状態で、左側の前足と左側の後足と胴体とによって形成される第４サークル部とが立体的にほぼ重なる大きさに形成されている請求項１〜請求項４のいずれかに記載のぬいぐるみマスコット。
【考案の詳細な説明】
【技術分野】
【０００１】
本考案は、ぬいぐるみマスコットに関する。
【背景技術】
【０００２】
女性のカバン、特に女子高校生や女子中学生の通学カバン等の若い女性のカバンには、おしゃれのため、カバンの持ち手部分などにぬいぐるみマスコットが取り付けられていることが多く見受けられる。
従来のぬいぐるみマスコットは、チェーンやストラップなどでカバンの持ち手部分に取り付けられていることが多い。
【考案の概要】
【考案が解決しようとする課題】
【０００３】
しかし、従来のぬいぐるみマスコットでは、ぬいぐるみマスコットに係止されたチェーンやストラップを手提げ部等に吊り下げるようになっているので、ぬいぐるみマスコット同士を連結できないなど、取り付け状態のバリエーションが少ない。
【０００４】
本考案は、上記事情に鑑みて、取り付け状態のバリエーションが豊富で、ファッション性、機能性に富んだ使用状態とすることができるぬいぐるみマスコットを提供することを目的としている。
【課題を解決するための手段】
【０００５】
上記目的を達成するために、本考案にかかるぬいぐるみマスコット（以下、「本考案のぬいぐるみマスコット」と記す）は、胴体と、胴体から突出する四肢を有するぬいぐるみマスコットであって、前記四肢は、一方の前足の先端部に第１係着部材が取り付けられ、他方の前足の先端部に第１係着部材に着脱自在な第２係着部材が取り付けられ、前記第１係着部材が取り付けられた側の後足の先端部に、前記前足の第１係着部材に着脱自在に前記第２係着部材が取り付けられ、他方の後足の先端部に前記前足の第２係着部材および前記後足の第２係着部材に着脱自在な前記第１係着部材が取り付けられていることを特徴としている。
本考案において、人や擬人化されたぬいぐるみマスコットの場合、前足は手を意味し、後足はただ単に足をあらわす。
【０００６】
本考案のぬいぐるみマスコットは、胴体に連設された頭を有し、左右の前足の第１係着部材と第２係着部材が係着された状態で、左右の前足と胴体とによって形成されるサークル部の中心軸方向から見て、頭がサークルの内部に少なくとも一部が重なるように、両前足および頭が胴体に連設されていることが好ましい。
すなわち、上記構成によれば、左右の前足の第１係着手段と第２係着手段を係着して、両前足と胴体とによってサークル部を形成し、このサークル部内にペン、インク浸透印（たとえば、商品名:シャチハタネーム）などのサークル部の内径にほぼ沿う筒形や柱形をした支持物を挿通するとともに、弾性変形によって頭を凹ましたり、左右に傾けたりして、支持物の一端部が頭の側面に沿うようにすれば、頭の弾性復元力によってサークル部内に挿通した支持部が頭の側面と、サークル部の内周面の一部に圧接状態となり、ペン、インク浸透印（たとえば、商品名:シャチハタネーム）などの筒形や柱形をした支持物を支持するスタンドとして使用することができる。
【０００７】
また、本考案のぬいぐるみマスコットは、左右の後足の第１係着部材と第２係着部材が係着された状態で、両後足と、胴体によって形成されるサークル部を水平面に受けさせたとき、胴部が水平面に対し、立った状態を保持するように、胴体に左右の後足が連設されていることが好ましい。
すなわち、上記構成とすれば、サークル部によって、ぬいぐるみマスコットをインテリア等として棚などに座った状態で安定して飾ることができる。
【０００８】
また、本考案のぬいぐるみマスコットにおいて、第１係着部材および第２係着部材は、特に限定されないが、たとえば、スナップボタンの雄雌部材、面状ファスナの雄雌部材、磁石のＳＮ極、あるいは磁石と磁性体の組み合わせなどが挙げられ、取扱性、コスト、耐久性等を考慮すると、スナップボタンの雄雌部材が好ましい。
【０００９】
また、本考案のぬいぐるみマスコットは、左右の前足の第１係着部材と第２係着部材が係着された状態で、左右の前足と胴体とによって形成される第１サークル部と、左右の後足の第１係着部材と第２係着部材が係着された状態で、左右の前足と胴体とによって形成される第２サークル部とが立体的にほぼ重なるとともに、左側の前足と左側の後足の第１係着部材と第２係着部材が係着された状態で、左側の前足と左側の後足と胴体とによって形成される第３サークル部と、左側の前足と左側の後足の第１係着部材と第２係着部材が係着された状態で、左側の前足と左側の後足と胴体とによって形成される第４サークル部とが立体的にほぼ重なる大きさに形成されていることが好ましい。
【００１０】
すなわち、第１サークル部と第２サークル部とが立体的にほぼ重なるようになっているので、ペン、インク浸透印などの筒形や柱形をした支持物を第１サークル部および第２サークル部内に挿通させやすく、また、挿通によって支持物を垂直方向に立てた状態で支持することができる。
また、第３サークル部と第４サークル部とが立体的にほぼ重なるようになっているので、ペン、インク浸透印などの筒形や柱形をした支持物を第３サークル部および第４サークル部内に挿通させやすく、また、挿通によって支持物を水平方向に寝かせた状態で支持することができる。
なお、本発明において、ほぼ立体的に重なるとは、完全に重なることなく、第１サークル部と第２サークル部あるいは第３サークル部と第４サークル部が外部から力を加えない状態で、各サークル部の中心軸方向に見たとき、８０％以上重なっていることを意味する。
【考案の効果】
【００１１】
本考案のぬいぐるみマスコットは、以上のように、胴体と、胴体から突出する四肢を有するぬいぐるみマスコットであって、前記四肢は、一方の前足の先端部に第１係着部材が取り付けられ、他方の前足の先端部に第１係着部材に着脱自在な第２係着部材が取り付けられ、前記第１係着部材が取り付けられた側の後足の先端部に、前記前足の第１係着部材に着脱自在に前記第２係着部材が取り付けられ、他方の後足の先端部に前記前足の第２係着部材および前記後足の第２係着部材に着脱自在な前記第１係着部材が取り付けられているので、取り付け状態のバリエーションが豊富で、ファッション性、機能性に富んだ使用状態とすることができる。
【図面の簡単な説明】
【００１２】
【図１】本考案にかかるぬいぐるみマスコットの第１の実施の形態をあらわし、その正面側からみた斜視図である。
【図２】図１のぬいぐるみマスコットの使用例であって、トートカバンの持ち手部分に取り付けた状態の１例を説明する図である。
【図３】図１のぬいぐるみマスコットの使用例であって、トートカバンの持ち手部分に取り付けた状態の他の例を説明する図である。
【図４】図１のぬいぐるみマスコットの使用例であって、インク浸透印を垂直に支持した状態を説明する図である。
【図５】図１のぬいぐるみマスコットの使用例であって、インク浸透印を水平に支持した状態を説明する図である。
【図６】図１のぬいぐるみマスコットの使用例であって、２つのぬいぐるみマスコットを対向させて、前足と前足、後足と後足を係着して一体化した状態を説明する図である。
【図７】図６の２つのぬいぐるみマスコットの間に支持物を支持させた状態を説明する図である。
【図８】図１のぬいぐるみマスコットの使用例であって、コードに支持させた状態の１例を説明する図である。
【図９】図１のぬいぐるみマスコットの使用例であって、コードに支持させた状態の他例を説明する図である。
【図１０】本考案にかかるぬいぐるみマスコットの第２の実施の形態をあらわし、その正面側からみた斜視図である。
【考案を実施するための形態】
【００１３】
以下に、本考案を、その実施の形態をあらわす図面を参照しつつ詳しく説明する。
図１は、本考案にかかるぬいぐるみマスコットの１つの実施の形態をあらわしている。
【００１４】
図１に示すように、このぬいぐるみマスコットＡは、頭１と、胴体２と、左右の前足３ａ，３ｂと、左右の後足４ａ，４ｂを備えている。
そして、このぬいぐるみマスコットＡは、図１の正面視左側（以下、「左側」とのみ記す）の前足３ａの先端部に、第１係着手段としてのスナップボタンの嵌合凹部を備えた雌部材５ａが縫着され、図１の正面視右側（以下、「右側」とのみ記す）の前足３ｂの先端部に、第２係着手段としてのスナップボタンの嵌合凸部を備えた上記雌部材５ａに嵌合する雄部材５ｂが縫着されている。
同様に、左側の後足４ａの先端部に上記雄部材５ｂが縫着され、右側の後足４ｂの先端部に、上記雌部材５ａが縫着されている。
【００１５】
すなわち、このぬいぐるみマスコットＡは、図２〜図９に示すように、雌部材５ａに、雄部材５ｂを嵌着することによって、左右の前足３ａ，３ｂの先端部同士が係着されて、左右の前足３ａ，３ｂと胴体２によって第１サークル部Ｃ１が形成され、左右の前足３ａ，３ｂの先端部同士が係着されて、左右の後足４ａ，４ｂと胴体２によって第２サークル部Ｃ２が形成される。
また、このぬいぐるみマスコットＡは、第１サークル部Ｃ１と第２サークル部Ｃ２が、各サークル部Ｃ１（Ｃ２）の中心軸方向からみてほぼ立体的に重なり、頭１が、少なくとも第１サークル部Ｃ１の中心軸方向からみて第１サークル部Ｃ１の内側を臨むような大きさになっているとともに、第２サークル部Ｃ２が、その下端面で、頭１、胴体２および左右の前足３ａ，３ｂの荷重を受けて、安定して棚などに胴体２を立てた状態に支持できるようになっている。
すなわち、このぬいぐるみマスコットＡは、上記条件を満たすように、胴体２に対する頭１、左右の前足３ａ，３ｂ、左右の後足４ａ，４ｂの取り付け位置、頭の大きさ、左右の前足３ａ，３ｂ、左右の後足４ａ，４ｂの長さにされている。
【００１６】
また、このぬいぐるみマスコットＡは、雌部材５ａに、雄部材５ｂを嵌着することによって、左側の前足３ａの先端部と左側の後足４ａの先端部が係着されて、左側の前足３ａ、左側の後足４ａおよび胴体２によって、第３サークル部Ｃ３が形成され、右側の前足３ａの先端部と右側の後足４ａの先端部が係着されて、右側の前足３ｂ、右側の後足４ｂおよび胴体２によって、第４サークル部Ｃ４が形成される。
また、第３サークル部Ｃ３と第４サークル部Ｃ４は、サークル部Ｃ３（Ｃ４）の中心軸方向からみてほぼ立体的に重なるようになっている。
【００１７】
そして、このぬいぐるみマスコットＡは、たとえば、以下のようにして使用することができる。
（１）図２に示すように、カバン６の持ち手６１部分を第１サークル部Ｃ１内に抱き込むように、左右の前足３ａ，３ｂの先端部を係着状態にして１つのぬいぐるみマスコットＡをカバン６の持ち手６１部分に支持させるとともに、必要に応じて、持ち手６１部分の支持されたぬいぐるみマスコットＡの右側の後足４ｂの雄部材５ｂと、他のぬいぐるみマスコットＡの右側の前足３ｂの雌部材５ａとを嵌着し、持ち手６１部分の支持されたぬいぐるみマスコットＡを介して他のぬいぐるみマスコットＡをカバン６の持ち手６１から吊り下げたようにする。
（２）図３に示すように、カバン６の持ち手６１部分を第２サークル部Ｃ２内に抱き込むように、左右の後足４ａ，４ｂの先端部を係着状態にして１つのぬいぐるみマスコットＡをカバン６の持ち手６１部分に支持させる。
（３）図４に示すように、両前足３ａ，３ｂの先端部を係着状態として第１サークル部Ｃ１を形成するとともに、両後足４ａ，４ｂの先端部を係着状態として第２サークル部Ｃ２を形成し、たとえば、頭１を弾性変形させた状態でインク浸透印７を第１サークル部Ｃ１に挿入し、さらに必要に応じて第２サークル部Ｃ２まで挿入することによって、インク浸透印７をぬいぐるみマスコットＡに支持させる。
（４）図５に示すように、左側の前足３ａの先端部と左側の後足４ａの先端部を係着状態として第３サークル部Ｃ３を形成するとともに、右側の前足３ｂの先端部と右側の後足４ｂの先端部を係着状態として第４サークル部Ｃ４を形成し、インク浸透印７を第３サークル部Ｃ３および第４サークル部Ｃ４に挿入することによって、インク浸透印７をぬいぐるみマスコットＡに水平にして支持させる。
（５）図６に示すように、２つのぬいぐるみマスコットＡを向かい合わせにするとともに、一方のぬいぐるみマスコットＡの左側の前足３ａの先端部と他方のぬいぐるみマスコットの右側の前足３ｂの先端部とをそれぞれ係着するとともに、一方のぬいぐるみマスコットＡの左側の後足４ａの先端部と他方のぬいぐるみマスコットの右側の後足４ｂの先端部とをそれぞれ係着して、頭１同士が密着し、２つのぬいぐるみマスコットＡの両前足３ａ，３ｂと胴体２によって上部サークル部Ｃ５を形成するとともに、両後足４ａ，４ｂと胴体２によって下部サークル部６ｃを形成するように２つのぬいぐるみマスコットＡを連結する。
（６）図７に示すように、連結した２つのぬいぐるみマスコットＡの頭１と頭１の間を通してインク浸透印７を上部サークル部Ｃ５および下部サークル部６ｃ内に挿入して
（７）図８に示すように、室内などの壁面に沿って掛け渡した、あるいは、吊るしたコード（たとえば、電気コード、物干しコードや紐など）８が第１サークル部Ｃ１および第２サークル部Ｃ２内を通る状態、第３サークル部Ｃ３および第４サークル部Ｃ４内を通る状態、第１第１サークル部Ｃ１内のみを通る状態、第２サークル部Ｃ２内のみを通る状態など、取り付け態様が異なる複数のぬいぐるみマスコットＡをコード８に沿って並べて取り付ける。
（８）図９に示すように、コード８が第２サークル部Ｃ２内を通る状態となるように１つのぬいぐるみマスコットＡをコード８に掴るように取り付けるとともに、前足３ａあるいは後足４ｂの雌部材５ａと、前足３ｂあるいは後足４ａの雄部材５ｂとを嵌合させてつぎつきに他のぬいぐるみマスコットＡを吊り下げる。
【００１８】
上記のように、本考案のぬいぐるみマスコットＡは、単体で、いろいろなポーズに変化させることができ、棚等に座った状態で載置したり、複数の取付姿勢で、カバンの持ち手６１やコード等の線条体の所望位置に選択的に掴らせたりすることができる。
しかも、同種のぬいぐるみマスコットＡといろいろな姿勢でつなぎ合わせることができる。
また、必要に応じてインキ浸透印等の小物を支持する支持体としても使用できる。
すなわち、取り付け状態のバリエーションが豊富で、ファッション性、機能性に富んだ使用状態とすることができる。
【００１９】
図１０は、本考案にかかるぬいぐるみマスコットの第２の実施の形態をあらわしている。
図１０に示すように、このぬいぐるみマスコットＢは、以下に述べる点を除いて、上記第１の実施の形態のぬいぐるみマスコットＡと同様になっている。したがって、ぬいぐるみマスコットＡと同様部分は、同じ符号を付している。
【００２０】
そして、このぬいぐるみマスコットＢは、第１係着部材としてのスナップボタンの雌部材５ｃが雌部材本体５１と、係止爪５２を備え、第２係着部材としてのスナップボタンの雄部材５ｄが雄部材本体５３と、係止爪５４を備えている。
また、雌部材５ｃおよび雄部材５ｄは、左側の前足３ａおよび右側の後足の雌部材５ｃの係止爪５２は、雌部材５ｃが右側の前足３ｂの雄部材５ｄの雌部材本体５１あるいは左側の後足４ｂの雄部材５ｄの雄部材本体５３と嵌合させたとき、雄部材５ｄの係止爪５４に対して雌部材本体５１の周方向にずれた位置に配置されるように、前足３ａ，３ｂあるいは後足４ａ，４ｂの先端部に縫着されている。
【００２１】
このぬいぐるみマスコットＢは、上記のように、雌部材５ｃおよび雄部材５ｄがそれぞれ係止爪５２，５４を備えているので、係止爪５２，５４に指先あるいは手の爪を引っ掛けることによって、容易に雌部材本体５１への雄部材本体５３の嵌合を解除することができる。
特に、雌部材本体５１と雄部材本体５３が、係止爪５２と係止爪５４が周方向にずれた状態で嵌合されるので、係止爪５２と、係止爪５４が重ならない。
したがって、係止爪５２および係止爪５４に指先あるいは手の爪をより引っ掛けやすい。
【００２２】
本考案は、上記の実施の形態に限定されない。たとえば、上記の実施の形態では、スナップボタンの雄部材および雌部材が前足あるいは後足の先端部に縫着されていたが、接着でも融着でも構わない。
上記の実施の形態では、左側の前足および右側の後足に雌部材が縫着され、右側の前足と左側の後足に雄部材が縫着されていたが、逆にしても構わない。
上記の実施の形態では、カバンの持ち手やコードに取り付けられたぬいぐるみマスコットに同じぬいぐるみマスコットを係着により連結していたが、ウサギ、猿、人型などのぬいぐるみ本体部分のデザインが異なるだけで、雌部材および雄部材を前足あるいは後足に逢着した同じような係着構造をした異種のぬいぐるみマスコットを連結するようにしても構わない。
【符号の説明】
【００２３】
Ａ，Ｂ  ぬいぐるみマスコット
１  頭
２  胴体
３ａ，３ｂ  前足
４ａ，４ｂ  後足
５ａ，５ｃ  雌部材（第１係着手段）
５ｂ，５ｄ  雄部材（第２係着手段）
５１  雌部材本体
５２  係止爪
５３  雄部材本体
５４  係止爪
６  カバン
６１  持ち手
７  インク浸透印
８  コード
Ｃ１  第１サークル部
Ｃ２  第２サークル部
Ｃ３  第３サークル部
Ｃ４  第４サークル部
Ｃ５  第５サークル部
Ｃ６  第６サークル部
【図１】
0003209620.tif 000003
【図２】
0003209620.tif 000004
【図３】
0003209620.tif 000005
【図４】
0003209620.tif 000006
【図５】
0003209620.tif 000007
【図６】
0003209620.tif 000008
【図７】
0003209620.tif 000009
【図８】
0003209620.tif 000010
【図９】
0003209620.tif 000011
【図１０】
0003209620.tif 000012